(57)【要約】      （修正有）【課題】自分が当てたい所に自由に突起物を置く事ができ、仰向け状態はもちろん椅子に座った状態でも使用可能、かつ持ち運びも容易な、指圧と同じ効果を得ることができるこぶとシートを提供する。【解決手段】指圧に使う突起物１は、下面にマジックテープを取り付けたこぶであり、マジックテープシート２のどこにでも貼り付けが可能である。その上に体を横たえることにより指圧と同じ効果が得られる。また、このシートは分割できるのでその一部を椅子の背に立てかけて使用することにより椅子に座った状態のままでも指圧と同じ効果が得られる。こぶとシートは軽く、持ち運びも容易である。【選択図】図１
0003110533.tif 000002
【実用新案登録請求の範囲】
【請求項１】
適度な硬さと弾力をもつ円錐状の物体を、下面に円形のマジックテープの付いた布で包んだこぶ
【請求項２】
布付きの分割できる人体型マジックテープシート
【考案の詳細な説明】
【考案の詳細な説明】
【技術分野】
【０００１】  本考案は、指圧と同じ効果を得ることができるこぶとそのこぶを置くシートに関する。
【背景技術】
【０００２】  指圧効果を得るマット類は様々なものがあるが、その多くは体に当たる突起部分または突起物を固定する溝部分が本体と一体化されているので、こりの部分に合わせて、突起部分を適宜自由に移動することができない。また、椅子に座った状態での使用や持ち運びも困難である。
【考案の開示】
【考案が解決しようとする課題】
【０００３】  自分が当てたい所に自由に突起物を置く事ができ、仰向け状態はもちろん椅子に座った状態でも使用可能、かつ持ち運びも容易な、指圧と同じ効果を得ることができるこぶとシートを提供することを目的としたものである。
【課題を解決するための手段】
【０００４】  本考案は、適度な硬さと弾力をもつ円錐状の物体を、下面に円形のマジックテープの付いた布で包み、マジックテープ摩耗時の交換に対応でき、マジックテープシートのどこにでも移動が可能なこぶとした。また、マジックテープシートを分割にすることにより、椅子に座った状態での使用や複数人での使用を可能にし、かつ持ち運びを容易にした。さらにマジックテープシートに布を取り付けることにより衣服とマジックテープシートの粘着を防止した。
【考案の効果】
【０００５】  就寝時に腰や背中が凝り、自分のこぶしをその部位に当てて寝た経験がある人は大勢いることと思う。本考案はそんな時にこぶしの代わりに使用し、指圧と同じ効果が得られるものである。突起物として使用するこぶは、下面についたマジックテープとマジックテープシートにより自由に移動が可能である。また、マジックテープシートは分割できるので、その一部を使用することにより、椅子に座った状態で身体を背もたれに押し付け指圧と同じ効果を得ることができる。分割したマジックテープシートを複数人で使用することもでき、持ち運びは容易である。旅行等にはこぶのみ持参し使用することもできる。
【考案を実施するための最良の形態】
【０００６】  適度な硬さと弾力をもつ円錐状の物体を、下面に円形のマジックテープの付いた布で包んだこぶ数個を、布付きの分割できる人体型マジックテープシートの適当な場所に貼り（図面１）、シートに付帯の、衣服とマジックテープシートの粘着を防ぐための布で覆う。それをベッドや布団の上、または平らな所に敷き、その上に身体を横たえる。体の重みにより指圧と同じ効果を適度に得られる。椅子で使用する場合は、マジックテープシートを分割し（図面２）、椅子の背もたれに立てかけ、身体を背もたれに押し付けるようにする。
【図面の簡単な説明】
【０００７】
【図１】  本考案のマジックテープシートにこぶ数個を貼り付けた状態を示した平面図である。
【図２】  本考案のマジックテープシートを分割し、その一部を示した平面図である。
【図３】  本考案のこぶを示した側面図である。
【図４】  本考案のこぶを下から見た図である
【図５】  本考案のこぶ数個をマジックテープシート数箇所に貼り付け、布で覆った状態を示した側面図である。
【図６】  本考案のこぶ数個をマジックテープシートの一部に貼り付け、布で覆った後に、椅子の背に立てかけた状態を示した斜視図である。
【符号の説明】
【０００８】    １  適度な硬さと弾力をもつ円錐状の物体を、下面に円形のマジックテープの付いた布で包んだこぶ
２  分割できる人体型マジックテープシート
３  衣服とマジックテープシートの粘着を防止する布
４  人体型マジックテープシートと布を結ぶひも
５  適度な硬さと弾力をもつ円錐状の物体
６  円形のマジックテープ
【図１】
0003110533.tif 000003
【図２】
0003110533.tif 000004
【図３】
0003110533.tif 000005
【図４】
0003110533.tif 000006
【図５】
0003110533.tif 000007
【図６】
0003110533.tif 000008
【手続補正書】
【提出日】平成16年5月11日(2004.5.11)
【手続補正１】
【補正対象書類名】実用新案登録請求の範囲
【補正対象項目名】全文
【補正方法】変更
【補正の内容】
【実用新案登録請求の範囲】
【請求項１】
適度な硬さと弾力性を持つ略円錐形状の物体を芯材（５）とし、下面に円形面ファスナー（６）を装着し、表面を布（７）で被覆した指圧効果を有する加圧用突起（１）を具備することを特徴とする指圧具。
【請求項２】
前記加圧用突起（１）を所望の位置に装着することができる面ファスナー（９）と、カバー（３）からなる装着用シート（２）であり、分割して使用又は携行することができることを特徴とする請求項１に記載の指圧具。
【手続補正２】
【補正対象書類名】明細書
【補正対象項目名】全文
【補正方法】変更
【補正の内容】
【考案の詳細な説明】
【技術分野】
【０００１】  本考案は、実際の指を用いないで、指圧と同じ効果を得ることができる加圧突起を装着用シート上の所望の位置に装着し、その上に体を横臥することによって凝りを取るという効果を発揮する指圧具に関する。
【背景技術】
【０００２】  指圧効果を得るマット類は様々なものがあるが、その多くは体に当たる突起部分または突起を固定する溝部分が本体と一体化されているので、体の凝りに合わせて、突起部分を適宜自由に移動することができない。また、日常の椅子に使用したり、旅行に携行することが困難であった。
【考案の開示】
【考案が解決しようとする課題】
【０００３】  使用者が体に当てたい所に自由に加圧突起１を装着することができ、仰向け状態はもちろんのこと、椅子に座った状態でも使用可能で、かつ、持ち運びも容易であり、指圧と同じ体の凝りをとる効果を発揮する加圧用突起１とその装着用シート２からなる指圧具を提供することを目的としたものである。
【課題を解決するための手段】
【０００４】  請求項１の考案は、適度な硬さと弾力性を持つ略円錐形状の物体を芯材５とし、下面に円形面ファスナー６を装着し、表面を布７で被覆した加圧用突起１を具備することを特徴とする指圧具としたものである。
請求項２の考案は、前記加圧用突起１を所望の位置に装着することができる面ファスナー９と、カバー３からなる装着用シート２であり、旅行等に携行できることを特徴とする請求項１に記載の指圧具としたものである。
【考案の効果】
【０００５】  請求項１の考案は、加圧用突起１の下面に円形面ファスナー６を装着し、表面を布７で被覆したことにより、使用者が装着用シート２の所望した位置に指圧効果を有する加圧用突起１を配置、装着することができるという効果が得られる。【０００６】請求項２の考案は、装着用シート２の半分に面ファスナー９を配置したことにより、加圧用突起１を配置するときにその下面の円形面ファスナー６と強力に固着することができ、また、装着用シート２の他の半分に配置したカバー３を折り返して装着シート２の面ファスナー９の上面を覆うことにより、使用者の衣服と面ファスナー９との絡みを防止することができる。また、装着用シート２は分割できるようにしてあるので旅行などに携帯しやすく、また、複数人に分割して使用することができるという効果を奏する。請求項１と請求項２からなる本考案は、就寝時や、椅子に休息した時に使用すると、指圧と同じ効果が得られ、日頃の職務や家事から生ずる体の凝りをすっきりと取ることができる。
【考案を実施するための最良の形態】
【０００７】  本考案の指圧具の実施の形態を以下図面に沿って説明する。図１は、本考案の装着用シート２の複数個が組み合わさった状態を示し、左側の散点模様で現した部分は面ファスナー９部分であり、その中の小さな複数の円形で表した部分が装着された加圧用突起１であり、その装着場所は自由に選択できることはいうまでもない。また、水平に並んだ分割線はこの装着用シート２がそこから分割できることを示し、円形のかん合部８で相互に連結されており、かん合部８の方法及び形状はこれにこだわるものではなく、使用時に邪魔にならない形態ならば紐結び等の他の方法を用いてもよい。分割できるので簡単に束ねて旅行などに携行することができ、複数の者で分けて使用することもできる。【０００８】  図２に示したものは、装着用シート２の１単位を表したものであり、左右に張り出した複数の紐状のものは、右端のカバー３を折り返して面ファスナー９を覆うときに、互いに結ぶ紐４である。【０００９】  図３は加圧用突起１の側面図、図４は加圧用突起１の底面図であり、文中略円錐形と述べたが、鋭い先端を持つものではなく、略円錐台形、半球形から乳頭形というような範囲のものである。大きさは大小２種類程度用意してもよく、内部の芯材５も硬軟２種類位違うものを用意してもよい。下面に装着した円形面ファスナー６も取り替え可能のものである。【００１０】  図５は、図１における左側のカバー３を折り返し、加圧用突起１をセットした面ファスナー９部分を覆った状態を表した図であり、カバー３は使用時に衣服と面ファスナー９の粘着を防ぐためであって、特に毛糸の衣服との間に不具合を生ずる場合が多いからである。【００１１】  図６は、椅子に使用した状態を表した図であり、装着用シート２を分割し、椅子の背もたれに立てかけ、使用者は、背もたれに立てかけた装着用シート２の加圧用突起１に体を押し付けるようにして使用する。
【符号の説明】
【００１２】１  加圧用突起
２  装着用シート
３  カバー
４  紐
５  芯材
６  円形面ファスナー
７  布
８  かん合部
９  面ファスナー（装着用シートの）
【手続補正３】
【補正対象書類名】図面
【補正対象項目名】図１
【補正方法】変更
【補正の内容】
別紙
【図１】
0003110533.tif 000009
【手続補正４】
【補正対象書類名】図面
【補正対象項目名】図２
【補正方法】変更
【補正の内容】
別紙
【図２】
0003110533.tif 000010
【手続補正５】
【補正対象書類名】図面
【補正対象項目名】図３
【補正方法】変更
【補正の内容】
別紙
【図３】
0003110533.tif 000011
【手続補正書】
【提出日】平成16年10月7日(2004.10.7)
【手続補正１】
【補正対象書類名】手続補正書
【補正対象項目名】補正の内容のとおり
【補正方法】変更
【補正の内容】
0003110533.tif 000012
0003110533.tif 000013
0003110533.tif 000014
【手続補正書】
【提出日】平成16年12月27日(2004.12.27)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本考案は、実際に指を用いないで、指圧と同じ効果を得ることができる加圧突起を装着用シート上の所望の位置に装着し、その上に体を横臥することによって凝りを取る効果を得る指圧具に関する。
【背景技術】
【０００２】  指圧効果を得るマット類は様々なものがあるが、その多くは体に当たる突起部分または突起を固定する溝部分が本体と一体化されているので、体の凝りに合わせて、突起部分を適宜自由に移動することができない。また、日常の椅子に使用したり、旅行に携行することが困難であった。
【考案の開示】
【考案が解決しようとする課題】
【０００３】  使用者が体に当てたい所に自由に加圧突起１を装着することができ、仰向け状態はもちろんのこと、椅子に座った状態でも使用可能で、かつ、持ち運びも容易であり、指圧と同じ体の凝りをとる効果を発揮する加圧用突起１とその装着用シート２からなる指圧具を提供することを目的としたものである。
【課題を解決するための手段】
【０００４】  請求項１の考案は、適度な硬さと弾力性を持つ略円錐形状の物体を芯材５とし、下面に円形面ファスナー６を装着し、表面を布７で被覆した加圧用突起１を具備することを特徴とする指圧具としたものである。
請求項２の考案は、前記加圧用突起１を所望の位置に装着することができる面ファスナー９と、カバー３からなる装着用シート２であり、旅行等に携行できることを特徴とする請求項１に記載の指圧具としたものである。
【考案の効果】
【０００５】  請求項１の考案は、加圧用突起１の下面に円形面ファスナー６を装着し、表面を布７で被覆したことにより、使用者が装着用シート２の所望した位置に指圧効果を有する加圧用突起１を配置、装着することができるという効果が得られる。【０００６】請求項２の考案は、装着用シート２の半分に面ファスナー９を配置したことにより、加圧用突起１を配置するときにその下面の円形面ファスナー６と強力に固着することができ、また、装着用シート２の他の半分に配置したカバー３を折り返して装着シート２の面ファスナー９の上面を覆うことにより、使用者の衣服と面ファスナー９との絡みを防止することができる。また、装着用シート２は分割できるようにしてあるので旅行などに携帯しやすく、また、複数人に分割して使用することができるという効果を奏する。請求項１と請求項２からなる本考案は、就寝時や、椅子に休息した時に使用すると、指圧と同じ効果が得られ、日頃の職務や家事から生ずる体の凝りをすっきりと取ることができる。
【考案を実施するための最良の形態】
【０００７】  本考案の指圧具の実施の形態を以下図面に沿って説明する。図１は、本考案の装着用シート２の複数個が組み合わさった状態を示し、左側の散点模様で現した部分は面ファスナー９部分であり、その中の小さな複数の円形で表した部分が装着された加圧用突起１であり、その装着場所は自由に選択できることはいうまでもない。また、水平に並んだ分割線はこの装着用シート２がそこから分割できることを示し、円形のかん合部８で相互に連結されており、かん合部８の方法及び形状はこれにこだわるものではなく、使用時に邪魔にならない形態ならば紐結び等の他の方法を用いてもよい。分割できるので簡単に束ねて旅行などに携行することができ、複数の者で分けて使用することもできる。【０００８】  図２に示したものは、装着用シート２の１単位を表したものであり、左右に張り出した複数の紐状のものは、真中よりカバー３を折り返して面ファスナー９を覆うときに、互いに結ぶ紐４である。【０００９】  図３は加圧用突起１の側面図、図４は加圧用突起１の底面図であり、文中略円錐形と述べたが、鋭い先端を持つものではなく、円錐台形、半球形から乳頭形というような範囲のものである。大きさは大小２種類程度用意してもよく、内部の芯材５も硬軟２種類位違うものを用意してもよい。下面に装着した円形面ファスナー６も取り替え可能のものである。【００１０】  図５は、図１における左側のカバー３を折り返し、加圧用突起１をセットした面ファスナー９部分を（使用者の衣服と面ファスナー９との間を）覆った状態を表した図であり、カバー３は使用時に衣服と面ファスナー９の粘着を防ぐためであって、特に毛糸の衣服との間に不具合を生ずる場合が多いからである。【００１１】  図６は、椅子に使用した状態を表した図であり、装着用シート２を分割し、椅子の背もたれに立てかけ、使用者は、背もたれに立てかけた装着用シート２の加圧用突起１に体を押し付けるようにして使用する。
【図面の簡単な説明】
【００１２】
【図１】本考案の装着用シート２の複数個を組み合わせた状態を表す平面図
【図２】本考案の装着用シート２のうちの１単位を表す平面図
【図３】本考案の加圧用突起１の側面図を表す。
【図４】本考案の加圧用突起１の底面図を表す。
【図５】本考案の装着用シート２の上に複数の加圧突起１をセットし、その上をカバー３で覆った状態を表す側面図である。
【図６】本考案の指圧具を椅子に取り付け使用した状態を表す斜視図である。
【符号の説明】
【００１３】１  加圧用突起
２  装着用シート
３  カバー
４  紐
５  芯材
６  円形面ファスナー
７  布
８  かん合部
９  面ファスナー（装着用シートの）